(57)【要約】      （修正有）【課題】白色色材のみにより下地画像を形成する場合と比較して、下地画像の下層の色を覆い隠す特性である隠蔽性を高めて裏写りを防止することができる画像形成装置を提供する。【解決手段】原稿画像の下地画像として白色トナーの画像とシルバートナーの画像を形成する複数の画像形成ユニットを備えている。画像濃度検出部５３は、印刷処理を実行する原稿画像の濃度を検出する。記憶部５４は、原稿画像の濃度に応じたシルバートナーのトナー量と白色トナーのトナー量に関する情報等を格納している。制御部５０は、原稿画像の濃度に応じて、シルバートナーのトナー量と白色トナーのトナー量を決定し、決定されたシルバートナーのトナー量と白色トナーのトナー量により下地画像を形成するように制御する。【選択図】図５
2019074620.tif 000002
【特許請求の範囲】
【請求項１】
光輝性色材、白色色材及び光輝性色材と白色色材以外の基本色色材を用いて記録媒体上に画像を形成する画像形成手段と、
前記画像形成手段により記録媒体上に画像を形成する際に、記録媒体上に形成される画像が、視認者の視認方向の手前側から基本色色材の画像、白色色材の画像、光輝性色材の画像の順に形成されるように制御する制御手段と、
を備えた画像形成装置。
【請求項２】
前記制御手段は、記録媒体上の少なくとも一方の面の最下層に光輝性色材の画像を形成し、前記光輝性色材の画像の上に白色色材の画像を形成し、前記白色色材の画像の上に基本色色材の画像を形成するように制御する請求項１記載の画像形成装置。
【請求項３】
前記制御手段は、記録媒体上の一方の面の最下層に白色色材の画像を形成し、前記白色色材の画像の上に基本色色材の画像を形成し、前記記録媒体の他方の面に、光輝性色材の画像を形成するように制御する請求項１記載の画像形成装置。
【請求項４】
前記制御手段は、前記光輝性色材の画像の上に、前記基本色色材の画像とは異なる他の基本色色材の画像を形成するように制御する請求項３記載の画像形成装置。
【請求項５】
前記制御手段は、記録媒体上の一方の面に基本色色材の画像を形成し、前記記録媒体の他方の面の最下層に白色色材の画像を形成し、前記白色色材の画像の上に光輝性色材の画像を形成するように制御する請求項１記載の画像形成装置。
【請求項６】
前記制御手段は、前記光輝性色材の画像の上に前記基本色色材の画像とは異なる他の基本色色材の画像を形成するように制御する請求項５記載の画像形成装置。
【請求項７】
前記制御手段は、記録媒体上の最下層に基本色色材の画像を形成し、前記基本色色材の画像の上に白色色材の画像を形成し、前記白色色材の画像の上に光輝性色材の画像を形成するように制御する請求項１記載の画像形成装置。
【請求項８】
光輝性色材、白色色材及び光輝性色材と白色色材以外の基本色色材を用いて記録媒体上に画像を形成する画像形成手段と、
前記画像形成手段により記録媒体上に画像を形成する際に、基本色色材の画像の下地層として、白色色材の画像および光輝性色材の画像が形成されるように制御する制御手段と、
を備えた画像形成装置。
【請求項９】
前記下地層では、基本色色材の画像に近い側から、白色色材の画像、光輝性色材の画像の順に形成される請求項８記載の画像形成装置。
【請求項１０】
前記記録媒体は、透明なフィルム状のシートである請求項１から９のいずれか記載の画像形成装置。
【請求項１１】
前記記録媒体は、薄紙である請求項１から６、８、９のいずれか記載の画像形成装置。
【請求項１２】
前記制御手段は、前記基本色色材の画像の濃度が高いほど、前記光輝性色材の画像の色材量が多くなるように制御する請求項１から１１のいずれか記載の画像形成装置。
【請求項１３】
前記制御手段は、前記基本色色材の画像の濃度が高いほど、前記白色色材の画像の色材量が少なくなるように制御する請求項１２記載の画像形成装置。
【請求項１４】
前記制御手段は、前記基本色色材の画像が写真画像の場合、予め設定された値以上の色材量で前記光輝性色材の画像を形成するよう制御する請求項１から１１のいずれか記載の画像形成装置。
【請求項１５】
前記白色色材および光輝性色材の色材量の変更を受け付ける受付手段をさらに備え、
前記制御手段は、前記受付手段により受付けられた色材量により、前記白色色材の画像および光輝性色材の画像を形成するように制御する請求項１から１１のいずれか記載の画像形成装置。
【請求項１６】
前記光輝性色材は、金属光沢色色材である請求項１から１５のいずれか記載の画像形成装置。
【請求項１７】
前記金属光沢色色材は、銀色色材である請求項１６記載の画像形成装置。
【請求項１８】
光輝性色材、白色色材及び光輝性色材と白色色材以外の基本色色材を用いて記録媒体上に画像を形成するステップと、
記録媒体上に画像を形成する際に、記録媒体上に形成される画像が、視認者の視認方向の手前側から基本色色材の画像、白色色材の画像、光輝性色材の画像の順に形成されるように制御するステップと、
をコンピュータに実行させるためのプログラム。
【請求項１９】
光輝性色材、白色色材及び光輝性色材と白色色材以外の基本色色材を用いて記録媒体上に画像を形成するステップと、
記録媒体上に画像を形成する際に、基本色色材の画像の下地層として、白色色材の画像および光輝性色材の画像が形成されるように制御するステップと、
をコンピュータに実行させるためのプログラム。
【発明の詳細な説明】
【技術分野】
【０００１】
本発明は、画像形成装置およびプログラムに関する。
【背景技術】
【０００２】
特許文献１には、遮蔽用トナー像及び非遮蔽用トナー像の少なくとも一方を形成して記録媒体に転写する像形成部と、前記像形成部において記録媒体に転写される前記遮蔽用トナー像及び非遮蔽用トナー像の少なくとも一方を当該記録媒体に定着させる定着部と、前記像形成部において前記遮蔽用トナー像を形成して白色以外の有色又は透明の記録媒体に転写する場合、前記定着部における定着温度、定着圧力及び定着時間の３要素で設定される定着条件のうち前記遮蔽用トナー像の定着条件について、前記非遮蔽用トナー像の定着条件における前記３要素の少なくとも１つの要素を増加させた条件にする制御を行う制御手段と、を備えることを特徴とする画像形成装置が開示されている。
【先行技術文献】
【特許文献】
【０００３】
【特許文献１】特開２０１５−２２０５２号公報
【発明の概要】
【発明が解決しようとする課題】
【０００４】
ＣＭＹＫ色トナー等の基本色色材を用いて透明フィルムや薄紙等の記録媒体上に画像形成を行う際に、裏写り防止を目的として基本色色材の画像の下地画像として白色トナー等の白色色材の画像を形成する場合がある。
【０００５】
しかし、白色色材のみにより下地画像を形成する場合、たとえ白色色材の色材量を多くしても、白色色材の下層の色を覆い隠す特性である隠蔽性を十分に確保して裏写りを防止することが難しい場合がある。また、下地画像の色材量をあまり多くし過ぎると画像形成の際の転写工程や定着工程において弊害が発生する可能性もある。
【０００６】
本発明の目的は、白色色材のみにより下地画像を形成する場合と比較して、下地画像の下層の色を覆い隠す特性である隠蔽性を高めて裏写りを防止することが可能な画像形成装置及びプログラムを提供することである。
【課題を解決するための手段】
【０００７】
請求項１に係る本発明は、光輝性色材、白色色材及び光輝性色材と白色色材以外の基本色色材を用いて記録媒体上に画像を形成する画像形成手段と、前記画像形成手段により記録媒体上に画像を形成する際に、記録媒体上に形成される画像が、視認者の視認方向の手前側から基本色色材の画像、白色色材の画像、光輝性色材の画像の順に形成されるように制御する制御手段と、を備えた画像形成装置である。
【０００８】
請求項２に係る本発明は、前記制御手段は、記録媒体上の少なくとも一方の面の最下層に光輝性色材の画像を形成し、前記光輝性色材の画像の上に白色色材の画像を形成し、前記白色色材の画像の上に基本色色材の画像を形成するように制御する請求項１記載の画像形成装置である。
【０００９】
請求項３に係る本発明は、前記制御手段は、記録媒体上の一方の面の最下層に白色色材の画像を形成し、前記白色色材の画像の上に基本色色材の画像を形成し、前記記録媒体の他方の面に、光輝性色材の画像を形成するように制御する請求項１記載の画像形成装置である。
【００１０】
請求項４に係る本発明は、前記制御手段は、前記光輝性色材の画像の上に、前記基本色色材の画像とは異なる他の基本色色材の画像を形成するように制御する請求項３記載の画像形成装置である。
【００１１】
請求項５に係る本発明は、前記制御手段は、記録媒体上の一方の面に基本色色材の画像を形成し、前記記録媒体の他方の面の最下層に白色色材の画像を形成し、前記白色色材の画像の上に光輝性色材の画像を形成するように制御する請求項１記載の画像形成装置である。
【００１２】
請求項６に係る本発明は、前記制御手段は、前記光輝性色材の画像の上に前記基本色色材の画像とは異なる他の基本色色材の画像を形成するように制御する請求項５記載の画像形成装置である。
【００１３】
請求項７に係る本発明は、前記制御手段は、記録媒体上の最下層に基本色色材の画像を形成し、前記基本色色材の画像の上に白色色材の画像を形成し、前記白色色材の画像の上に光輝性色材の画像を形成するように制御する請求項１記載の画像形成装置である。
【００１４】
請求項８に係る本発明は、光輝性色材、白色色材及び光輝性色材と白色色材以外の基本色色材を用いて記録媒体上に画像を形成する画像形成手段と、前記画像形成手段により記録媒体上に画像を形成する際に、基本色色材の画像の下地層として、白色色材の画像および光輝性色材の画像が形成されるように制御する制御手段と、を備えた画像形成装置である。
【００１５】
請求項９に係る本発明は、前記下地層では、基本色色材の画像に近い側から、白色色材の画像、光輝性色材の画像の順に形成される請求項８記載の画像形成装置である。
【００１６】
請求項１０に係る本発明は、前記記録媒体は、透明なフィルム状のシートである請求項１から９のいずれか記載の画像形成装置である。
【００１７】
請求項１１に係る本発明は、前記記録媒体は、薄紙である請求項１から６、８、９のいずれか記載の画像形成装置である。
【００１８】
請求項１２に係る本発明は、前記制御手段は、前記基本色色材の画像の濃度が高いほど、前記光輝性色材の画像の色材量が多くなるように制御する請求項１から１１のいずれか記載の画像形成装置である。
【００１９】
請求項１３に係る本発明は、前記制御手段は、前記基本色色材の画像の濃度が高いほど、前記白色色材の画像の色材量が少なくなるように制御する請求項１２記載の画像形成装置である。
【００２０】
請求項１４に係る本発明は、前記制御手段は、前記基本色色材の画像が写真画像の場合、予め設定された値以上の色材量で前記光輝性色材の画像を形成するよう制御する請求項１から１１のいずれか記載の画像形成装置である。
【００２１】
請求項１５に係る本発明は、前記白色色材および光輝性色材の色材量の変更を受け付ける受付手段をさらに備え、前記制御手段は、前記受付手段により受付けられた色材量により、前記白色色材の画像および光輝性色材の画像を形成するように制御する請求項１から１１のいずれか記載の画像形成装置である。
【００２２】
請求項１６に係る本発明は、前記光輝性色材は、金属光沢色色材である請求項１から１５のいずれか記載の画像形成装置である。
【００２３】
請求項１７に係る本発明は、前記金属光沢色色材は、銀色色材である請求項１６記載の画像形成装置である。
【００２４】
請求項１８に係る本発明は、光輝性色材、白色色材及び光輝性色材と白色色材以外の基本色色材を用いて記録媒体上に画像を形成するステップと、記録媒体上に画像を形成する際に、記録媒体上に形成される画像が、視認者の視認方向の手前側から基本色色材の画像、白色色材の画像、光輝性色材の画像の順に形成されるように制御するステップと、をコンピュータに実行させるためのプログラムである。
【００２５】
請求項１９に係る本発明は、光輝性色材、白色色材及び光輝性色材と白色色材以外の基本色色材を用いて記録媒体上に画像を形成するステップと、記録媒体上に画像を形成する際に、基本色色材の画像の下地層として、白色色材の画像および光輝性色材の画像が形成されるように制御するステップと、をコンピュータに実行させるためのプログラムである。
【発明の効果】
【００２６】
請求項１に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００２７】
請求項２に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００２８】
請求項３に係る本発明によれば、記録媒体上の一方の面に光輝性色材の画像と白色色材の画像を重ねて形成する場合と比較して、転写不良や定着不良を軽減することができる画像形成装置を提供することができる。
【００２９】
請求項４に係る本発明によれば、記録媒体上の一方の面に光輝性色材の画像と白色色材の画像を重ねて形成する場合と比較して、転写不良や定着不良を軽減することができる画像形成装置を提供することができる。
【００３０】
請求項５に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００３１】
請求項６に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００３２】
請求項７に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００３３】
請求項８に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００３４】
請求項９に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００３５】
請求項１０に係る本発明によれば、透明フィルム状のシートに、白色色材のみにより下地画像を形成する場合と比較して、下地画像の下層の色を覆い隠す特性である隠蔽性を高めて裏写りを防止することが可能な画像形成装置を提供することができる。
【００３６】
請求項１１に係る本発明によれば、薄紙に、白色色材のみにより下地画像を形成する場合と比較して、下地画像の下層の色を覆い隠す特性である隠蔽性を高めて裏写りを防止することが可能な画像形成装置を提供することができる。
【００３７】
請求項１２に係る本発明によれば、一定の色材量で下地画像を形成する場合と比較して、色材量を少なくしつつ、隠蔽性を高めて裏写りを防止することが可能な画像形成装置を提供することができる。
【００３８】
請求項１３に係る本発明によれば、一定の色材量で下地画像を形成する場合と比較して、色材量を少なくしつつ、隠蔽性を高めて裏写りを防止することが可能な画像形成装置を提供することができる。
【００３９】
請求項１４に係る本発明によれば、写真画像を形成する場合に、隠蔽性を高めて裏写りを防止することが可能な画像形成装置を提供することができる。
【００４０】
請求項１５に係る本発明によれば、一定の色材量で下地画像を形成する場合と比較して、ユーザの指定により、隠蔽性を高めて裏写りを防止することが可能な画像形成装置を提供することができる。
【００４１】
請求項１６に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００４２】
請求項１７に係る本発明によれば、白色色材のみにより下地画像を形成する場合と比較して、下地画像の下層の色を覆い隠す特性である隠蔽性を高めて裏写りを防止することが可能な画像形成装置を提供することができる。
【００４３】
請求項１８に係る本発明によれば、白色色材のみにより下地画像を形成する場合と比較して、下地画像の下層の色を覆い隠す特性である隠蔽性を高めて裏写りを防止することが可能なプログラムを提供することができる。
【００４４】
請求項１９に係る本発明によれば、白色色材のみにより下地画像を形成する場合と比較して、下地画像の下層の色を覆い隠す特性である隠蔽性を高めて裏写りを防止することが可能なプログラムを提供することができる。
【図面の簡単な説明】
【００４５】
【図１】本発明の一実施形態の画像形成装置１０の構造を説明するための図である。
【図２】画像形成装置１０の画像形成ユニット１２を説明するための図である。
【図３】本発明の一実施形態の画像形成装置１０により画像が形成された記録媒体の要部拡大断面図の一例であって、視認者が視認する方向を説明する図である。
【図４】本発明の一実施形態の画像形成装置１０のハードウェア構成を示すブロック図である。
【図５】本発明の一実施形態の画像形成装置１０の機能構成を示すブロック図である。
【図６】記憶部５４に格納される原稿画像濃度（Ｃ＋Ｍ＋Ｙ）とシルバートナー（Ｓｉ）のトナー量と白色トナー（Ｗ）のトナー量との関係を示す図である。
【図７】図６をグラフ化して示した図である。
【図８】（Ａ）は、記憶部５４に格納される原稿画像濃度（Ｋ）とシルバートナー（Ｓｉ）のトナー量と白色トナー（Ｗ）のトナー量との関係を示す図であって、（Ｂ）は、（Ａ）をグラフ化して示した図である。
【図９】記憶部５４に格納される裏写り防止の観点からレベル分けした場合の原稿画像濃度（Ｃ＋Ｍ＋Ｙ）とシルバートナー（Ｓｉ）のトナー量との関係を示す図である。
【図１０】図９をグラフ化して示した図である。
【図１１】原稿画像の下地画像として、トナー量１００％の白色トナーの画像、トナー量２００％の白色トナーの画像、トナー量１００％のシルバートナーの画像、トナー量１００％の白色トナーの画像の下層にトナー量７０％のシルバートナーの画像をそれぞれ形成した場合の評価結果を示す図である。
【図１２】（Ａ）〜（Ｄ）は、比較例に係る画像形成装置により画像が形成された記録媒体の要部拡大断面図の一例であって、裏写りのメカニズムを説明するための図である。
【図１３】本発明の一実施形態の画像形成装置１０により画像が形成された記録媒体の要部拡大断面図の一例であって、裏写りのメカニズムを説明するための図である。
【図１４】（Ａ）〜（Ｄ）は、本発明の一実施形態の画像形成装置１０により画像が形成された記録媒体の要部拡大断面図の一例である。
【図１５】本発明の第２の実施形態の画像形成装置１００の構造を説明するための図である。
【図１６】（Ａ）は、本発明の第２の実施形態の画像形成装置１００により画像が形成された記録媒体の要部拡大断面図の一例であって、（Ｂ）は、画像形成装置１００により画像が形成された記録媒体の要部拡大断面図の他の例である。
【図１７】本発明の第３の実施形態の画像形成装置２００の構造を説明するための図である。
【図１８】本発明の第３の実施形態の画像形成装置２００により画像が形成された記録媒体の要部拡大断面図の一例であって、視認者が視認する方向を説明する図である。
【図１９】本発明の第４の実施形態の画像形成装置３００の構造を説明するための図である。
【発明を実施するための形態】
【００４６】
次に、本発明の実施の形態について図面を参照して詳細に説明する。
【００４７】
図１は本発明の一実施形態の画像形成装置１０の外観構成を示す図である。
【００４８】
本実施形態の画像形成装置１０は、図１に示されるように、第１の画像形成装置１０Ａと第２の画像形成装置１０Ｂとから構成されている。第１の画像形成装置１０Ａと第２の画像形成装置１０Ｂは、形成する画像によって第１の画像形成装置１０Ａの記録媒体搬送方向下流側に第２の画像形成装置１０Ｂを接続したり、第１の画像形成装置１０Ａの記録媒体搬送方向上流側に第２の画像形成装置１０Ｂを接続したり、それぞれ単独で用いることができる。本実施形態においては、第１の画像形成装置１０Ａの記録媒体搬送方向下流側に第２の画像形成装置１０Ｂを接続して用いる例について説明する。
【００４９】
この第１の画像形成装置１０Ａと第２の画像形成装置１０Ｂの本体部内の構造を図１及び図２を参照して説明する。
【００５０】
第１の画像形成装置１０Ａは、図１に示されるように、３つの画像形成ユニット１２を備えている。この３つの画像形成ユニット１２は、それぞれ金色のゴールドトナー（Ｇ）、白色の白色トナー（Ｗ）、銀色のシルバートナー（Ｓｉ）等の特別色のトナーを用いて記録媒体上に画像を形成するように構成されている。
【００５１】
なお、特別色のトナーには、シルバートナー（Ｓｉ）、ゴールドトナー（Ｇ）、白色トナー（Ｗ）、透明トナー等が存在し、この特別色のトナーの中から３つのトナーを選択して使用することが可能になっている。図１では、これらの特別色のトナーの中から、ゴールドトナー（Ｇ）と、白色トナー（Ｗ）と、シルバートナー（Ｓｉ）を選択してセットした場合が示されている。
【００５２】
なお、本実施形態では、シルバートナー（Ｓｉ）やゴールドトナー（Ｇ）等の光輝性を有する光輝性色材であるメタリック（金属光沢色）トナーと白色トナー（Ｗ）を用いて原稿画像の下地画像を形成する場合について説明する。また、原稿画像の濃度に応じて、メタリックトナーと白色トナー（Ｗ）の各色のトナー量（色材量）を制御する場合について説明するものである。ここでメタリックトナーとは、ＦＩ（ＦｌｏｐＩｎｄｅｘ値）が１以上のものをいう。また、トナー量は、画像形成装置１０に指示する各色の情報であってもよいし、画像形成装置１０で印刷出力する画像データの色値であってもよい。トナー量が画像データの色値であり、その画像データの色空間が画像出力の色空間と異なる場合には、色空間の変換処理をすればよい。
【００５３】
なお、以下の説明ではシルバートナー（Ｓｉ）と白色トナー（Ｗ）を用いて記録媒体上に原稿画像の下地層としての下地画像を形成する場合を用いて説明する。
【００５４】
画像形成ユニット１２は、図２に示すように、感光体ドラム１６と、この感光体ドラム１６の表面を一様に帯電する帯電手段としての帯電装置１８と、感光体ドラム１６上に形成された静電潜像を現像する現像装置２０と、クリーニング装置２２とからそれぞれ構成されている。感光体ドラム１６は、トナー像（現像剤像）を保持する円筒形状の画像保持体であり、帯電装置１８により一様に帯電され、光走査装置２４により照射されたレーザ光により静電潜像が形成される。感光体ドラム１６に形成された静電潜像は、現像装置２０によりトナーで現像され、中間転写ベルト１４に転写される。なお、トナー像の転写工程の後に感光体ドラム１６に付着している残留トナー及び紙粉等は、クリーニング装置２２によって除去される。
【００５５】
中間転写ベルト１４は、図１中矢印Ａの方向に回動移動するようになっている。即ち、中間転写ベルト１４は、中間転写ベルト１４を支持する複数の支持ロール間に一定のテンションで掛け回されている。この中間転写ベルト１４を挟んだ感光体ドラム１６に対向した位置に一次転写ロール２６がそれぞれ配置されている。一次転写ロール２６は、感光ドラム１６に形成された各色のトナー像を中間転写ベルト１４に転写するようになっている。
【００５６】
中間転写ベルト１４の下方には、記録媒体を搬送する搬送路２８が形成されている。搬送路２８には、搬入口３０から排出口３２まで図１中矢印Ｂの方向に記録媒体を搬送する複数の搬送ロールが設けられている。また、中間転写ベルト１４の下方の搬送路２８には、感光ドラム１６から中間転写ベルト１４に一次転写されたトナー像を搬送路２８を搬送された記録媒体に二次転写する二次転写装置３４が設けられている。二次転写装置３４の記録媒体搬送方向下流側には定着装置３６が設けられている。この定着装置３６は、トナー像が転写された記録媒体の画像を熱と圧力により記録媒体に定着させる。この定着装置３６により下地画像が定着された記録媒体は排出口３２から排出され、第２の画像形成装置１０Ｂの搬入口３０に搬入される。
【００５７】
第２の画像形成装置１０Ｂは、図１に示されるように、４つの画像形成ユニット１２を備えている。この４つの画像形成ユニット１２は、それぞれイエロー（Ｙ）、マゼンタ（Ｍ）、シアン（Ｃ）、ブラック（Ｋ）の基本色トナーを用いて記録媒体上に原稿画像を形成するように構成されている。この第２の画像形成装置１０Ｂにおける画像形成ユニット１２等の構成は、上述した第１の画像形成装置１０Ａにおける画像形成ユニット１２等の構成と同一であり、同一の符号を付して説明を省略する。
【００５８】
そして、図１に示されるように、画像形成装置１０において第１の画像形成装置１０Ａ及び第２の画像形成装置１０Ｂのそれぞれに各色の画像形成ユニット１２がセットされると、まず第１の画像形成装置１０Ａにおいて、それぞれの画像形成ユニット１２により、白色トナー（Ｗ）とシルバートナー（Ｓｉ）がこの順序で中間転写ベルト１４に一次転写して重畳して形成され、二次転写装置３４により中間転写ベルト１４から記録媒体にトナー像が一括して二次転写される。そして、二次転写された記録媒体の下地画像が定着装置３６によって定着され、下地画像が定着された記録媒体は排出口３２から排出され、第２の画像形成装置１０Ｂに搬入される。
【００５９】
そして、第２の画像形成装置１０Ｂでは、それぞれの画像形成ユニット１２により、イエロー（Ｙ）、マゼンタ（Ｍ）、シアン（Ｃ）及びブラック（Ｋ）の各色トナーがこの順序で中間転写ベルト１４に一次転写して重畳して形成され、二次転写装置３４により中間転写ベルト１４から下地画像が形成された記録媒体上にトナー像が一括して二次転写される。そして、二次転写された記録媒体の原稿画像が定着装置３６によって定着され、下地画像の上に原稿画像が定着された記録媒体は排出口３２から排出される。
【００６０】
つまり、本実施形態は、第１の画像形成装置１０Ａを用いて形成された下地画像の上に、第２の画像形成装置１０Ｂを用いて形成された原稿画像を形成する構成について説明するものである。言い換えれば、第１の画像形成装置１０Ａを用いて前刷りされた下地画像に、第２の画像形成装置１０Ｂを用いて追刷りして原稿画像を形成する構成について説明するものである。また、原稿画像の濃度（基本色トナーのトナー量）に応じて下地画像の濃度（白色トナーのトナー量とシルバートナーのトナー量）を制御する構成について説明するものである。
【００６１】
ここで、トナー量とは、記録媒体上の単位面積当たりに使用されるトナーの量、例えばトナー重量（ｇ／ｍ2）の値でも良いが、以下の説明では、単位面積、例えば１ピクセル当たり使用する各色トナーの量の最大値を１００％とした場合の、印刷する際に使用する各色のトナー量の割合を％で示した値（トナーカバレッジ）で表現する場合を記載する。
【００６２】
以下、イエロー（Ｙ）、マゼンタ（Ｍ）、シアン（Ｃ）、ブラック（Ｋ）のトナーを基本色トナーして説明する。また、基本色トナーの配列は上述した順番に限らず任意に変更可能である。
【００６３】
図３は、上述した画像形成装置１０により画像が形成された記録媒体としての透明フィルムＲの要部拡大断面図の一例である。ここで、透明フィルムとは、透明なフィルム状のシートをいう。透明フィルムＲには、原稿画像及び下地画像が形成された側（図３において上側）から視認者が視認するように画像が形成されている。
【００６４】
画像形成装置１０によれば、図３に示されるように、透明フィルムＲ上の最下層に下地画像としてのシルバートナー（Ｓｉ）の画像が形成され、シルバートナー（Ｓｉ）の画像の上に下地画像としての白色トナー（Ｗ）の画像が形成され、この白色トナー（Ｗ）の画像の上に原稿画像として基本色トナー（ＣＭＹＫ）の画像が重畳して形成される。つまり、透明フィルムＲ上に形成される画像が、視認者の視認方向の手前側から基本色トナー（ＣＭＹＫ）の画像、白色トナー（Ｗ）の画像、シルバートナー（Ｓｉ）の画像の順に重畳して形成される。言い換えれば、基本色トナー（ＣＭＹＫ）の画像の下地層として、基本色トナー（ＣＭＹＫ）の画像に近い側から、白色トナー（Ｗ）の画像、シルバートナー（Ｓｉ）の画像の順に重畳して形成される。
【００６５】
透明フィルムＲ上に、図３に示したような順番で各色のトナー画像が形成された場合には、透明フィルムＲの背後の物体の色の影響がシルバートナー（Ｓｉ）の画像により隠蔽されて裏写りが防止される。これは、シルバートナー（Ｓｉ）の画像は白色トナー（Ｗ）の画像に比べて透過率が低くて反射率が高い為、透明フィルムＲの背後の物体の色が反射されるためである。また、シルバートナー（Ｓｉ）の画像は無彩色であるため白色トナー（Ｗ）の画像の下地画像として用いてもシルバートナー（Ｓｉ）の画像の色の影響を受けにくい。このため、透明フィルムＲ上に形成される画像が、視認者の視認方向の手前側から基本色トナー（ＣＭＹＫ）の画像、白色トナー（Ｗ）の画像、シルバートナー（Ｓｉ）の画像の順に重畳して形成されることにより、基本色トナー（ＣＭＹＫ）により形成された画像の色味が本来の色味のまま維持される色再現性を高めることができる。
【００６６】
ここでは、裏写りとは、透明フィルムの背後の物体の色が透けて見えることの他、両面印刷した透明フィルムの裏面印刷したものが表面から透けて見えることをいう。
【００６７】
次に、本実施形態の画像形成装置１０のハードウェア構成を図４に示す。
【００６８】
画像形成装置１０は、図４に示されるように、ＣＰＵ４１、メモリ４２、ハードディスクドライブ（ＨＤＤ）等の記憶装置４３、ネットワークを介して外部の装置等との間でデータの送信及び受信を行う通信インタフェース（ＩＦ）４４、タッチパネル又は液晶ディスプレイ並びにキーボードを含むユーザインタフェース（ＵＩ）装置４５、プリントエンジン４６を有する。これらの構成要素は、制御バス４８を介して互いに接続されている。
【００６９】
プリントエンジン４６は、帯電、露光、現像、転写、定着などの工程を経て記録媒体上に画像を印刷する。
【００７０】
ＣＰＵ４１は、メモリ４２または記憶装置４３に格納された制御プログラムに基づいて所定の処理を実行して、第１の画像形成装置１０Ａ及び第２の画像形成装置１０Ｂをそれぞれ制御し、画像形成装置１０の動作を制御する。なお、本実施形態では、ＣＰＵ４１は、メモリ４２または記憶装置４３内に格納された制御プログラムを読み出して実行するものとして説明したが、当該プログラムをＣＤ−ＲＯＭ等の記憶媒体に格納してＣＰＵ４１に提供することも可能である。
【００７１】
図５は、上記の制御プログラムが実行されることにより実現される画像形成装置１０の機能構成を示すブロック図である。
【００７２】
本実施形態の画像形成装置１０は、図５に示されるように、ＵＩ装置４５と、制御部５０と、印刷ジョブ受信部５１と、出力部５２と、画像濃度検出部５３と、記憶部５４とを備えている。
【００７３】
ＵＩ装置４５は、ユーザからの操作を入力したり、各種情報をユーザに表示するための装置である。
【００７４】
印刷ジョブ受信部５１は、外部の端末装置等からネットワークを介して原稿画像情報を含んだ印刷ジョブを受信する。
【００７５】
制御部５０は、印刷ジョブ受信部５１により受信された印刷ジョブや、ＵＩ装置４５から入力された指示に基づいて、出力部５２を制御することにより印刷処理を実行する。
【００７６】
画像濃度検出部５３は、印刷処理を実行する原稿画像の濃度を検出する。
【００７７】
記憶部５４は、印刷ジョブ受信部５１により受信された原稿画像情報を格納する。
【００７８】
また、記憶部５４は、原稿画像濃度に応じたシルバートナーのトナー量と白色トナーのトナー量に関する情報等を格納している。
【００７９】
例えば、記憶部５４には、図６〜図１０に示すような情報が格納されている。図６及び図７は、原稿画像の濃度であってシアン（Ｃ）とマゼンタ（Ｍ）とイエロー（Ｙ）の各色トナー量の合計と、シルバートナー（Ｓｉ）のトナー量と、白色トナー（Ｗ）のトナー量との関係を示す図である。
【００８０】
図６及び図７に示されるように、原稿画像の濃度（シアン（Ｃ）とマゼンタ（Ｍ）とイエロー（Ｙ）の各色トナー量の合計）が０〜９０％の範囲の場合には、シルバートナー（Ｓｉ）のトナー量を６０％程度にする。そして、原稿画像の濃度が９０〜１７０％の範囲の場合には、原稿画像の濃度に応じてシルバートナー（Ｓｉ）のトナー量を６０〜１００％に多くする。すなわち、原稿画像の濃度（シアン（Ｃ）とマゼンタ（Ｍ）とイエロー（Ｙ）の各色トナー量の合計）が高くなるにつれて、シルバートナー（Ｓｉ）のトナー量を多くする。そして、原稿画像の濃度が１７０〜２５０％の範囲の場合には、シルバートナー（Ｓｉ）のトナー量を１００％にする。
【００８１】
また、原稿画像の濃度が０〜９０％の場合には、白色トナー（Ｗ）のトナー量を１００％にする。そして、原稿画像の濃度が９０％〜１９０％の範囲の場合には、原稿画像の濃度に応じて白色トナー（Ｗ）のトナー量を１００〜０％に少なくする。すなわち、原稿画像の濃度（シアン（Ｃ）とマゼンタ（Ｍ）とイエロー（Ｙ）の各色トナー量の合計）が高くなるにつれて、白色トナー（Ｗ）のトナー量を少なくする。そして、原稿画像の濃度が１９０％〜２５０％の範囲の場合には、白色トナー（Ｗ）のトナー量を０％にする。
【００８２】
また、図８（Ａ）及び図８（Ｂ）は、原稿画像の濃度であって黒色トナー（Ｋ）のトナー量と、シルバートナー（Ｓｉ）のトナー量と、白色トナー（Ｗ）のトナー量との関係を示す図である。
【００８３】
また、図８（Ａ）及び図８（Ｂ）に示されるように、原稿画像の濃度（黒色トナー（Ｋ）のトナー量）が０〜８０％の範囲の場合には、原稿画像の濃度に応じてシルバートナー（Ｓｉ）のトナー量を６０％〜１００％に多くして、原稿画像の濃度が８０〜１００％の場合には、シルバートナー（Ｓｉ）のトナー量を１００％にする。また、原稿画像の濃度が０〜１００％の場合には、原稿画像の濃度に応じて白色トナー（Ｗ）のトナー量を１００％〜０％に少なくする。すなわち、原稿画像濃度（黒色トナー（Ｋ）のトナー量）が高くなるにつれて、シルバートナー（Ｓｉ）のトナー量を多くして、白色トナー（Ｗ）のトナー量を少なくする。
【００８４】
図９及び図１０は、裏写り防止の観点から裏写り１〜裏写り３にレベル分けした場合の原稿画像の濃度であってシアン（Ｃ）とマゼンタ（Ｍ）とイエロー（Ｙ）の各色トナー量の合計と、シルバートナー（Ｓｉ）のトナー量との関係を示す図である。ここでは、裏写りの程度の低い方から順に裏写り１、裏写り２、裏写り３として設定されている。裏写りの程度が低い裏写り１は、裏写り３に比べて色再現性は悪くなる。
【００８５】
裏写りの程度の最も低い（裏写りを全くしない）裏写り１においては、原稿画像の濃度によらずに、シルバートナー（Ｓｉ）のトナー量を１００％に設定する。
【００８６】
そして、裏写り１と比べると少し裏写りをする（裏写りをほとんどしない）裏写り２においては、原稿画像の濃度が０〜９０％の間は、シルバートナー（Ｓｉ）のトナー量を６０％とし、原稿画像の濃度が９０〜１７０％までは、原稿画像の濃度に応じてシルバートナー（Ｓｉ）のトナー量を６０〜１００％程度に多くして、原稿画像の濃度が高くなるにつれて、シルバートナー（Ｓｉ）のトナー量を多くする。また、原稿画像の濃度が１７０％以上の場合は、シルバートナー（Ｓｉ）のトナー量を１００％とする。
【００８７】
そして、裏写り２と比べると裏写りをする（裏写りを少しする）裏写り３においては、原稿画像の濃度が０〜１００％の間は、シルバートナー（Ｓｉ）のトナー量を４０％とし、原稿画像の濃度が１００〜１８０％の場合は、原稿画像の濃度に応じてシルバートナー（Ｓｉ）のトナー量を４０〜８０％程度に多くして、原稿画像の濃度が高くなるにつれて、シルバートナー（Ｓｉ）のトナー量を多くする。また、原稿画像の濃度が１８０％以上の場合は、シルバートナー（Ｓｉ）のトナー量を８０％とする。
【００８８】
すなわち、制御部５０は、画像濃度検出部５３により検出された原稿画像の濃度（基本色トナーの各色トナー量の合計）と、記憶部５４に格納されている情報に基づいて、下地画像として用いるシルバートナーのトナー量を決定する。そして、制御部５０は、決定されたトナー量によりシルバートナーの画像を形成するように制御する。つまり、制御部５０は、原稿画像の濃度に応じて、予め設定されたトナー量でシルバートナーの画像を形成するように制御する。例えば、制御部５０は、原稿画像の濃度が高いほど、シルバートナーのトナー量が多くなるように制御する。
【００８９】
また、制御部５０は、画像濃度検出部５３により検出された原稿画像の濃度（基本色トナーの各色トナー量の合計）と、記憶部５４に格納されている情報に基づいて、下地画像として用いる白色トナーのトナー量を決定する。そして、制御部５０は、決定されたトナー量により白色トナーの画像を形成するように制御する。つまり、制御部５０は、原稿画像の濃度に応じて、予め設定されたトナー量で白色トナーの画像を形成するように制御する。
【００９０】
また、制御部５０は、原稿画像の濃度が高いほど、シルバートナーのトナー量を多くし、白色トナーのトナー量が少なくなるように制御する。
【００９１】
また、制御部５０は、原稿画像の種類に応じて、下地画像として用いるシルバートナーのトナー量を決定する。そして、制御部５０は、決定されたトナー量によりシルバートナーの画像を形成するように制御する。具体的には、原稿画像が写真画像の場合、予め設定された値以上のトナー量で下地画像としてのシルバートナーの画像を形成するよう制御する。
【００９２】
また、ＵＩ装置４５や印刷ジョブ受信部５１は、ユーザによる選択を受け付ける受付手段として機能する。例えば、ユーザは、３つにレベル分けされて設定された中から裏写り防止を重視したい場合には、裏写り１を選択してシルバートナーのトナー量を多くし、色再現性を重視したい場合には裏写り３を選択してシルバートナーのトナー量を少なくすることができる。
【００９３】
そして、制御部５０は、ＵＩ装置４５や印刷ジョブ受信部５１により受付けられた裏写りのレベルと、記憶部５４に格納されている情報に基づいて、下地画像として用いるシルバートナーのトナー量を決定し、決定されたトナー量によりシルバートナーの画像を形成するように制御する。つまり、制御部５０は、受け付けられた情報に基づいて、予め設定されたトナー量でシルバートナーの画像を形成するように制御する。
【００９４】
また、ＵＩ装置４５や印刷ジョブ受信部５１は、ユーザによる各色トナー量の指定を受け付ける受付手段として機能する。
【００９５】
そして、制御部５０は、ＵＩ装置４５や印刷ジョブ受信部５１により受付けられた各色トナー量の指定に基づいて、各色トナー量を決定し、決定されたトナー量により画像を形成するように制御する。
【００９６】
つまり、制御部５０は、原稿画像の濃度に応じて、シルバートナーのトナー量と白色トナーのトナー量を決定し、決定されたシルバートナーのトナー量と白色トナーのトナー量により下地画像を形成するように制御する。具体的には、制御部５０は、帯電装置１８や現像装置２０に供給される電力や一次転写ロール２６に流れる電流を制御してシルバートナーのトナー量と白色トナーのトナー量をそれぞれ制御する。つまり、制御部５０は、原稿画像の単位面積当たりの濃度に応じて、下地画像として形成するシルバートナーのトナー量と白色トナーのトナー量が異なるように制御し、これにより下地画像のトナー量を抑制して、画像形成の際の転写工程や定着工程における弊害を防止しつつ、隠蔽性を十分に確保して裏写りを防止することができる。
【００９７】
次に、透明フィルム上に原稿画像の下地画像として、トナー量１００％の白色トナーの画像、トナー量２００％の白色トナーの画像、トナー量１００％のシルバートナーの画像、原稿画像に近い側からトナー量１００％の白色トナーの画像とトナー量７０％のシルバートナーの画像を重ねて形成した画像、をそれぞれ形成した場合の評価結果を図１１に基づいて説明する。
【００９８】
図１１に示すように、原稿画像の下地画像として、トナー量１００％の白色トナーの画像を形成した場合には、色再現性は良好だったが、透明フィルムの背後の色が裏写りしてしまった。また、トナー量２００％の白色トナーの画像を形成した場合には、色再現性は良好であったが、トナー量１００％の白色トナーの画像を形成した場合と比較すると良かったが、透明フィルムの背後の色が裏写りしてしまった。また、トナー量１００％のシルバートナーの画像を形成した場合には、裏写りはしなかったが、白色トナーで下地画像を形成した場合と比較して色再現性が悪くなった。一方、トナー量１００％の白色トナーの画像とトナー量７０％のシルバートナーの画像を重畳して下地画像を形成した場合には、色再現性が良好で、裏写りもしなかった。
【００９９】
次に、記録媒体に形成される原稿画像の下地画像として、原稿画像に近い側から白色トナー（Ｗ）の画像とシルバートナー（Ｓｉ）の画像を重畳して形成することにより、隠蔽性を高めて裏写りを防止することができる理由を図１２及び図１３に基づいて説明する。図１２及び図１３において、記録媒体としての透明フィルムＲに対して上側を表面、下側を裏面とし、透明フィルムＲの表面側から視認者が視認する場合を例にして説明する。
【０１００】
図１２（Ａ）に示す透明フィルムＲの表面には、下地画像として黒色トナー（Ｋ）の画像が形成され、その上に原稿画像である基本色トナー（ＣＭＹＫ）の画像が形成されている。そして、裏面には、原稿画像である基本色トナー（ＣＭＹＫ）の画像が形成されている。
【０１０１】
視認者が図１２（Ａ）に示す透明フィルムＲを表面側から視認した場合には、表面側から入射された光（入射光）は、基本色トナー（ＣＭＹＫ）の画像の表面で一部が反射光として反射されて、一部が透過して黒色トナー（Ｋ）の画像との界面で吸収されてしまう。また、透明フィルムＲの裏面側に形成された基本色トナー（ＣＭＹＫ）の画像の色の影響は、表面側に形成された黒色トナー（Ｋ）の画像により吸収されて隠蔽される。
【０１０２】
つまり、図１２（Ａ）に示すように、透明フィルムＲ上に原稿画像の下地画像として黒色トナー（Ｋ）の画像を形成して両面印刷した場合には、裏面側に形成された原稿画像の色が黒色トナー（Ｋ）の画像により隠蔽されて裏写りが防止される。しかし、視認者側から入射された光は、黒色トナー（Ｋ）の画像との界面で吸収されてしまうため、下地画像として白色トナー（Ｗ）の画像を形成する場合と比較して反射光が少なく、表面側に形成された原稿画像の色がくすんで見えて、色再現性が悪くなってしまう。
【０１０３】
図１２（Ｂ）に示す透明フィルムＲの表面には、下地画像として１００％のトナー量で白色トナー（Ｗ）の画像が形成され、その上に原稿画像である基本色トナー（ＣＭＹＫ）の画像が形成されている。そして、裏面には、原稿画像である基本色トナー（ＣＭＹＫ）の画像が形成されている。
【０１０４】
視認者が図１２（Ｂ）に示す透明フィルムＲを表面側から視認した場合には、表面側から入射された光は、基本色トナー（ＣＭＹＫ）の画像の表面で一部が反射光として反射されて、一部が透過して白色トナー（Ｗ）の画像との界面で反射光として反射されて、さらに透明フィルム、裏面側に形成された基本色トナー（ＣＭＹＫ）の画像を透過してしまう。また、裏面側に形成された基本色トナー（ＣＭＹＫ）の画像が、透明フィルムＲ、表面側に形成された白色トナー（Ｗ）の画像、基本色トナー（ＣＭＹＫ）の画像を透過して隠蔽されずに裏写りしてしまう。
【０１０５】
つまり、図１２（Ｂ）に示すように、透明フィルムＲ上に原稿画像の下地画像として１００％のトナー量で白色トナー（Ｗ）の画像を形成して両面印刷した場合には、視認者側から入射された光は、基本色トナー（ＣＭＹＫ）の画像の表面、白色トナー（Ｗ）の画像の表面において反射されるため、上述した図１２（Ａ）の下地画像として黒色トナー（Ｋ）の画像を形成する場合と比較して色再現性が良いが、裏面側に形成された原稿画像が表面側に形成された原稿画像にまで透過されてしまうため隠蔽されずに裏写りしてしまう。
【０１０６】
図１２（Ｃ）に示す透明フィルムＲの表面には、下地画像として２００％のトナー量で白色トナー（Ｗ）の画像が形成され、その上に原稿画像である基本色トナー（ＣＭＹＫ）の画像が形成されている。そして、裏面には、原稿画像である基本色トナー（ＣＭＹＫ）の画像が形成されている。
【０１０７】
視認者が図１２（Ｃ）に示す透明フィルムＲを表面側から視認した場合には、表面側から入射された光は、基本色トナー（ＣＭＹＫ）の画像の表面で一部が反射光として反射されて、一部が透過して白色トナー（Ｗ）の画像との界面で反射光として反射されて、さらに透明フィルムＲ、裏面側に形成された基本色トナー（ＣＭＹＫ）の画像を透過してしまう。また、裏面側に形成された基本色トナー（ＣＭＹＫ）の画像が、透明フィルムＲ、表面側に形成されたホワイト（Ｗ）トナーの画像を透過し、表面側に形成された基本色（ＣＭＹＫ）トナーの画像を透過して隠蔽されずに裏写りしてしまう。
【０１０８】
つまり、図１２（Ｃ）に示すように、透明フィルムＲ上に原稿画像の下地画像として２００％のトナー量で白色トナー（Ｗ）の画像を形成して両面印刷した場合であっても、視認者側から入射された光は、基本色トナー（ＣＭＹＫ）の画像の表面、白色トナー（Ｗ）の画像の表面において反射されるため、上述した図１２（Ａ）示す下地画像として黒色トナー（Ｋ）の画像を形成する場合と比較して色再現性が良いが、裏面側に形成された原稿画像の一部が表面側に形成された原稿画像にまで透過されてしまうため隠蔽されずに裏写りしてしまい、上述した図１２（Ｂ）に示した下地画像として１００％のトナー量で白色トナー（Ｗ）の画像を形成する場合と比較すると裏写りは抑制されるが、上述した図１２（Ａ）示した下地画像として黒色トナー（Ｋ）の画像を形成する場合と比較すると裏写りしてしまう。
【０１０９】
図１２（Ｄ）に示す透明フィルムＲの表面には、下地画像としてシルバートナー（Ｓｉ）の画像が形成され、その上に原稿画像である基本色トナー（ＣＭＹＫ）の画像が形成されている。そして、裏面には、原稿画像である基本色トナー（ＣＭＹＫ）の画像が形成されている。
【０１１０】
視認者が図１２（Ｄ）に示す透明フィルムＲを表面側から視認した場合には、表面側から入射された光は、基本色トナー（ＣＭＹＫ）の画像の表面で一部が反射光として反射されて、一部が透過してシルバートナー（Ｓｉ）の画像との界面で反射される。また、透明フィルムＲの裏面側に形成された基本色トナー（ＣＭＹＫ）の画像の色の影響は、表面側に形成されたシルバートナー（Ｓｉ）の画像により反射されて隠蔽される。
【０１１１】
つまり、図１２（Ｄ）に示すように、透明フィルムＲ上に原稿画像の下地画像としてシルバートナー（Ｓｉ）の画像を形成して両面印刷した場合には、裏面側に形成された原稿画像がシルバートナー（Ｓｉ）の画像により隠蔽されて裏写りが防止される。しかし、視認者側から入射された光は、シルバートナー（Ｓｉ）の画像との界面で反射されてしまうため、図１２（Ｂ）や図１２（Ｃ）に示した下地画像として白色トナー（Ｗ）の画像を形成する場合と比較して、表面側に形成された原稿画像による反射光が少なく原稿画像の色がくすんで見えて、色再現性が悪くなってしまう。
【０１１２】
図１３は、上述した図３に示した透明フィルムＲの裏面に第２の画像形成装置１０Ｂを用いて原稿画像を形成して、両面に画像が形成された透明フィルムＲの要部拡大断面図の一例である。
【０１１３】
図１３に示されている透明フィルムＲの表面には、原稿画像（基本色（ＣＭＹＫ）トナーの画像）の下地画像として、原稿画像に近い側から白色トナー（Ｗ）の画像、シルバートナー（Ｓｉ）の画像の順に重畳して形成されている。そして、透明フィルムＲの裏面には、原稿画像である基本色（ＣＭＹＫ）トナーの画像が形成されている。
【０１１４】
視認者が図１３に示す透明フィルムＲを表面側から視認した場合には、表面側から入射された光（入射光）は、基本色トナー（ＣＭＹＫ）の画像の表面で一部が反射光として反射されて、一部が透過して白色トナー（Ｗ）の画像との界面で反射光として反射される。また、透明フィルムＲの表面側の最下層にはシルバートナー（Ｓｉ）の画像が形成されているため、透明フィルムＲの裏面側に形成された基本色トナー（ＣＭＹＫ）の画像の色の影響が、シルバートナー（Ｓｉ）の画像により反射されて隠蔽される。
【０１１５】
すなわち、図１３に示したような順番で各色のトナー画像が形成された場合には、透明フィルムＲの背後の物体の影響や、透明フィルムＲの裏面の色の影響がシルバートナー（Ｓｉ）の画像により反射されて隠蔽されて裏写りが防止される。また、シルバートナーの画像は無彩色であるため白色トナーの画像の下地画像として用いてもシルバートナーの色の影響を受けにくい。このため、基本色トナー（ＣＭＹＫ）により形成された画像の色味が本来の色味のまま維持される色再現性を高めることができる。また、制御部５０が、原稿画像の濃度に応じて、下地画像として形成するシルバートナーのトナー量と白色トナーのトナー量が異なるように制御することにより、下地画像のトナー量を抑制して、画像形成の際の転写工程や定着工程における弊害を防止しつつ、隠蔽性を十分に確保して裏写りを防止することができる。
【０１１６】
図１４（Ａ）〜図１４（Ｄ）は、画像形成装置１０を用いて両面に画像を形成した透明フィルムＲの要部拡大断面図の他の例である。
【０１１７】
図１４（Ａ）の透明フィルムＲには、表面の最下層に下地画像としてのシルバートナー（Ｓｉ）の画像が形成され、その上に下地画像としての白色トナー（Ｗ）の画像、原稿画像としての基本色トナー（ＣＭＹＫ）の画像の順に重畳して形成されている。そして、裏面の最下層に下地画像としての白色トナー（Ｗ）の画像が形成され、その上に原稿画像としての基本色トナー（ＣＭＹＫ）の画像が形成されている。
【０１１８】
視認者が図１４（Ａ）に示す透明フィルムＲを表面側から視認した場合には、表面側から入射された光は、基本色トナー（ＣＭＹＫ）の画像の表面で一部が反射光として反射されて、一部が透過して白色トナー（Ｗ）の画像との界面で反射光として反射される。また、表面側の最下層にはシルバートナー（Ｓｉ）の画像が形成されているため、透明フィルムＲの裏面側に形成された基本色トナー（ＣＭＹＫ）の画像の色の影響がシルバートナー（Ｓｉ）の画像により隠蔽される。
【０１１９】
図１４（Ｂ）の透明フィルムＲには、透明フィルムＲの表面の最下層に下地画像としてのシルバートナー（Ｓｉ）の画像が形成され、その上に下地画像としての白色トナー（Ｗ）の画像、原稿画像としての基本色トナー（ＣＭＹＫ）の画像の順に重畳して形成されている。そして、透明フィルムＲの裏面の最下層に下地画像としてのシルバートナー（Ｓｉ）の画像が形成され、その上に下地画像としての白色トナー（Ｗ）の画像、原稿画像としての基本色トナー（ＣＭＹＫ）の画像の順に重畳して形成されている。
【０１２０】
視認者が図１４（Ｂ）に示す透明フィルムＲを表面側から視認した場合には、表面側から入射された光は、基本色トナー（ＣＭＹＫ）の画像の表面で一部が反射光として反射されて、一部が透過して白色トナー（Ｗ）の画像との界面で反射光として反射される。また、表面側と裏面側の最下層にはそれぞれシルバートナー（Ｓｉ）の画像が形成されているため、透明フィルムＲの裏面側に形成された基本色トナー（ＣＭＹＫ）の画像の色の影響がシルバートナー（Ｓｉ）の画像により隠蔽される。
【０１２１】
図１４（Ｃ）の透明フィルムＲには、透明フィルムＲの表面の最下層に下地画像としての白色トナー（Ｗ）の画像が形成され、その上に原稿画像としての基本色トナー（ＣＭＹＫ）の画像が形成されている。そして、透明フィルムＲの裏面に下地画像としてのシルバートナー（Ｓｉ）の画像が形成されている。
【０１２２】
視認者が図１４（Ｃ）に示す透明フィルムＲを表面側から視認した場合には、表面側から入射された光は、基本色トナー（ＣＭＹＫ）の画像の表面で一部が反射光として反射されて、一部が透過して白色トナー（Ｗ）の画像との界面で反射光として反射される。また、裏面側にはシルバートナー（Ｓｉ）の画像が形成されているため、透明フィルムＲの背後の物体の色の影響がシルバートナー（Ｓｉ）の画像により隠蔽される。
【０１２３】
図１４（Ｄ）の透明フィルムＲには、透明フィルムＲの表面の最下層に下地画像としての白色トナー（Ｗ）の画像が形成され、その上に原稿画像としての基本色トナー（ＣＭＹＫ）の画像が形成されている。そして、透明フィルムＲの裏面の最下層に下地画像としてのシルバートナー（Ｓｉ）の画像が形成され、その上に原稿画像としての基本色トナー（ＣＭＹＫ）の画像が形成されている。
【０１２４】
視認者が図１４（Ｄ）に示す透明フィルムＲを表面側から視認した場合には、表面側から入射された光は、基本色トナー（ＣＭＹＫ）の画像の表面で一部が反射光として反射されて、一部が透過して白色トナー（Ｗ）の画像との界面で反射光として反射される。また、裏面側にはシルバートナー（Ｓｉ）の画像が形成されているため、透明フィルムＲの裏面側に形成された基本色トナー（ＣＭＹＫ）の画像の色の影響がシルバートナー（Ｓｉ）の画像により隠蔽される。
【０１２５】
また、図１４（Ｄ）に示したように、透明フィルムＲの表面と裏面に白色トナー（Ｗ）の画像とシルバートナー（Ｓｉ）の画像とを分けて形成する場合には、濃度の高い原稿画像が形成された面の側の下層にシルバートナー（Ｓｉ）の画像を形成し、濃度の低い原稿画像が形成された面の下層に白色トナー（Ｗ）の画像を形成するのが好ましい。原稿画像の濃度が高い場合には、シルバートナーの画像による色くすみの影響が少ないためである。
【０１２６】
すなわち、図１４（Ａ）〜図１４（Ｄ）に示したような順番で各色のトナー画像が形成された場合には、透明フィルムＲの背後の物体の色の影響や透明フィルムＲの裏面の色の影響がシルバートナー（Ｓｉ）の画像により反射されて隠蔽されて裏写りが防止される。また、シルバートナーの画像は無彩色であるため白色トナーの画像の下地画像として用いてもシルバートナーの色の影響を受けにくい。このため、基本色トナー（ＣＭＹＫ）により形成された画像の色味が本来の色味のまま維持される色再現性を高めることができる。
【０１２７】
また、図１４（Ｃ）及び図１４（Ｄ）に示したように、透明フィルムＲの表面と裏面に白色トナー（Ｗ）の画像とシルバートナー（Ｓｉ）の画像とを分けて形成することにより、ラチチュードを広げて転写工程や定着不良を抑制することができる。
【０１２８】
また、制御部５０が、原稿画像の濃度に応じて、下地画像として形成するシルバートナーのトナー量と白色トナーのトナー量が異なるように制御することにより、下地画像のトナー量を抑制して、画像形成の際の転写工程や定着工程における弊害を防止しつつ、隠蔽性を十分に確保して裏写りを防止することができる。
【０１２９】
次に、本実施形態の画像形成装置１０の他の実施形態について説明する。
【０１３０】
図１５は、本発明の第２の実施形態の画像形成装置１００の外観構成を示す図である。
【０１３１】
第２の実施形態に係る画像形成装置１００は、上述した画像形成装置１０の第１の画像形成装置１０Ａにおける画像形成ユニット１２の位置が異なる。具体的には、画像形成装置１０における白色トナー（Ｗ）の画像形成ユニット１２とシルバートナー（Ｓｉ）の画像形成ユニット１２の装着位置を交換する。すなわち、第１の画像形成装置１０Ａにおいて、それぞれの画像形成ユニット１２により、シルバートナー（Ｓｉ）と白色トナー（Ｗ）がこの順序で中間転写ベルト１４に一次転写して重畳して形成され、二次転写装置３４により中間転写ベルト１４から記録媒体にトナー像が一括して二次転写される。そして、二次転写された記録媒体の下地画像が定着装置３６によって定着され、下地画像が定着された記録媒体が排出口３２から排出され、第２の画像形成装置１０Ｂにおいて下地画像が形成された記録媒体上に原稿画像が追刷りされる。
【０１３２】
図１６（Ａ）及び図１６（Ｂ）は、第２の実施形態に係る画像形成装置１００を用いて画像が形成された記録媒体である透明フィルムＲの要部拡大断面図の一例である。図１６（Ａ）及び図１６（Ｂ）において、透明フィルムＲに対して上側から視認者が視認するように画像が形成されている。
【０１３３】
画像形成装置１００によれば、図１６（Ａ）に示されるように、透明フィルムＲの表面に原稿画像としての基本色トナー（ＣＭＹＫ）の画像が形成される。そして、透明フィルムＲの裏面の最下層に下地画像としての白色トナー（Ｗ）の画像が形成され、その上に下地画像としてのシルバートナー（Ｓｉ）の画像が形成される。
【０１３４】
視認者が図１６（Ａ）に示す透明フィルムＲを表面側から視認した場合には、表面側から入射された光（入射光）は、基本色トナー（ＣＭＹＫ）の画像の表面で一部が反射光として反射されて、一部が透明フィルムを透過して裏面側に形成された白色トナー（Ｗ）の画像との界面で反射光として反射される。また、裏面側の白色トナー（Ｗ）の画像の上にはシルバートナー（Ｓｉ）の画像が形成されているため、透明フィルムＲの背後の物体の色の影響がシルバートナー（Ｓｉ）の画像により隠蔽される。
【０１３５】
また、画像形成装置１００によれば、図１６（Ｂ）に示されるように、透明フィルムＲの表面に原稿画像としての基本色トナー（ＣＭＹＫ）の画像が形成される。そして、透明フィルムＲの裏面の最下層に下地画像としての白色トナー（Ｗ）の画像が形成され、その上に下地画像としてのシルバートナー（Ｓｉ）の画像が形成され、その上に原稿画像としての基本色トナー（ＣＭＹＫ）の画像が形成される。
【０１３６】
視認者が図１６（Ｂ）に示す透明フィルムＲを表面側から視認した場合には、表面側から入射された光（入射光）は、基本色トナー（ＣＭＹＫ）の画像の表面で一部が反射光として反射されて、一部が透明フィルムを透過して裏面側に形成された白色トナー（Ｗ）の画像との界面で反射光として反射される。また、裏面側の白色トナー（Ｗ）の上にはシルバートナー（Ｓｉ）の画像が形成されているため、透明フィルムＲの裏面に形成された基本色トナー（ＣＭＹＫ）の画像の色の影響がシルバートナー（Ｓｉ）の画像により隠蔽される。
【０１３７】
なお、図１６（Ｂ）に示すように透明フィルムＲの表面側と裏面側の両面に原稿画像を形成する場合には、濃度の高い原稿画像の下層にシルバートナー（Ｓｉ）の画像を形成するのが好ましい。原稿画像の濃度が高い場合には、シルバートナーの画像による色くすみの影響が少ないためである。
【０１３８】
すなわち、図１６（Ａ）及び図１６（Ｂ）に示したような順番で各色のトナー画像が形成された場合には、透明フィルムＲの背後の物体の色の影響や、透明フィルムＲの裏面に形成された基本色トナー（ＣＭＹＫ）の画像の色の影響がシルバートナー（Ｓｉ）の画像により反射されて隠蔽されて裏写りが防止される。また、シルバートナーの画像は無彩色であるため白色トナーの画像の下地画像として用いてもシルバートナーの色の影響を受けにくい。このため、基本色トナー（ＣＭＹＫ）により形成された画像の色味が本来の色味のまま維持される色再現性を高めることができる。
【０１３９】
また、制御部５０が、原稿画像の濃度に応じて、下地画像として形成するシルバートナーのトナー量と白色トナーのトナー量が異なるように制御することにより、下地画像のトナー量を抑制して、画像形成の際の転写工程や定着工程における弊害を防止しつつ、隠蔽性を十分に確保して裏写りを防止することができる。
【０１４０】
図１７は、本発明の第３の実施形態の画像形成装置２００の外観構成を示す図である。
【０１４１】
第３の実施形態に係る画像形成装置２００は、上述した第２の実施形態の画像形成装置１００の第１の画像形成装置１０Ａと第２の画像形成装置１０Ｂの位置が異なる。具体的には、第１の画像形成装置１０Ａの記録媒体搬送方向上流側に第２の画像形成装置１０Ｂが接続されている。すなわち、第２の画像形成装置１０Ｂにおいて原稿画像が前刷りされた後で、第１の画像形成装置１０Ａにおいて下地画像を追刷りする。具体的には、第２の画像形成装置１０Ｂにおいて原稿画像が形成された記録媒体が第１の画像形成装置１０Ａに搬入され、この第１の画像形成装置１０Ａにおいて、それぞれの画像形成ユニット１２により、シルバートナー（Ｓｉ）と白色トナー（Ｗ）がこの順序で中間転写ベルト１４に一次転写して重畳して形成され、二次転写装置３４により中間転写ベルト１４から原稿画像が形成された記録媒体にトナー像が一括して二次転写される。そして、二次転写された記録媒体の下地画像が定着装置３６によって定着され、原稿画像上に下地画像が定着された記録媒体が排出口３２から排出される。
【０１４２】
図１８は、第３の実施形態に係る画像形成装置２００を用いて画像が形成された記録媒体としての透明フィルムＲの要部拡大断面図の一例である。透明フィルムＲには、原稿画像及び下地画像が形成された側の反対側（図１８において下側）から視認者が視認するように画像が形成されている。
【０１４３】
画像形成装置２００によれば、図１８に示されるように、透明フィルムＲの最下層に原稿画像としての基本色トナー（ＣＭＹＫ）の画像が形成され、その上に下地画像としての白色トナー（Ｗ）の画像が形成され、その上に下地画像としてのシルバートナー（Ｓｉ）の画像が形成されている。つまり、透明フィルムＲ上に形成される画像が、視認者の視認方向の手前側から基本色トナー（ＣＭＹＫ）の画像、白色トナー（Ｗ）の画像、シルバートナー（Ｓｉ）の画像の順に重畳して形成される。言い換えれば、基本色トナー（ＣＭＹＫ）の画像の下地層として、基本色トナー（ＣＭＹＫ）の画像に近い側から、白色トナー（Ｗ）の画像、シルバートナー（Ｓｉ）の画像の順に重畳して形成される。
【０１４４】
視認者が図１８に示す透明フィルムＲを視認した場合には、視認方向から入射された光（入射光）は、透明フィルムを透過して、基本色トナー（ＣＭＹＫ）の画像の表面で一部が反射光として反射されて、さらに一部が白色トナー（Ｗ）の画像との界面で反射光として反射される。また、白色トナー（Ｗ）の画像上にはシルバートナー（Ｓｉ）の画像が形成されているため、透明フィルムＲの背後の物体の色の影響がシルバートナー（Ｓｉ）の画像により隠蔽されて裏写りが防止される。
【０１４５】
すなわち、図１８に示したような順番で透明フィルム上に各色のトナー画像が形成された場合には、透明フィルムＲの背後の物体の色の影響がシルバートナー（Ｓｉ）の画像により反射されて隠蔽される。また、シルバートナーの画像は無彩色であるため白色トナーの画像の下地画像として用いてもシルバートナーの色の影響を受けにくい。このため、基本色トナー（ＣＭＹＫ）により形成された画像の色味が本来の色味のまま維持される色再現性を高めることができる。
【０１４６】
また、制御部５０が、原稿画像の濃度に応じて、下地画像として形成するシルバートナーのトナー量と白色トナーのトナー量が異なるように制御することにより、下地画像のトナー量を抑制して、画像形成の際の転写工程や定着工程における弊害を防止しつつ、隠蔽性を十分に確保して裏写りを防止することができる。
【０１４７】
図１９は、本発明の第４の実施形態の画像形成装置３００の外観構成を示す図である。
【０１４８】
第４の実施形態に係る画像形成装置３００は、図１９に示されるように、６つの画像形成ユニット１２を備えている。そして、それぞれの画像形成ユニット１２により、イエロー（Ｙ）、マゼンタ（Ｍ）、シアン（Ｃ）、ブラック（Ｋ）、ホワイト（Ｗ）及びシルバー（Ｓｉ）の各色トナーがこの順序で中間転写ベルト１４に一次転写して重畳して形成され、二次転写装置３４により中間転写ベルト１４から記録媒体にトナー像が一括して二次転写される。そして、二次転写された記録媒体の画像が定着装置３６によって定着され、画像が定着された記録媒体は排出口３２から排出される。
【０１４９】
画像形成装置３００によれば、上述した画像形成装置１０と同様に、図３、図１３及び図１４に示されるように、透明フィルムＲ上に形成される画像が、視認者の視認方向の手前側から基本色トナー（ＣＭＹＫ）の画像、白色トナー（Ｗ）の画像、シルバートナー（Ｓｉ）の画像の順に重畳して形成される。言い換えれば、基本色トナー（ＣＭＹＫ）の画像の下地層として、基本色トナー（ＣＭＹＫ）の画像に近い側から、白色トナー（Ｗ）の画像、シルバートナー（Ｓｉ）の画像の順に重畳して形成される。
【０１５０】
つまり、上述した画像形成装置３００を用いて図３、図１３及び図１４に示したような順番で各色のトナー画像が形成された場合に、透明フィルムＲの背後の物体の色や透明フィルムＲの裏面の色の影響がシルバートナー（Ｓｉ）の画像により隠蔽される。また、シルバートナーの画像は無彩色であるため白色トナーの画像の下地画像として用いてもシルバートナーの色の影響を受けにくい。このため、基本色トナー（ＣＭＹＫ）により形成された画像の色味が本来の色味のまま維持される色再現性を高めることができる。
【０１５１】
また、制御部５０が、原稿画像の濃度に応じて、下地画像として形成するシルバートナーのトナー量と白色トナーのトナー量が異なるように制御することにより、下地画像のトナー量を抑制して、画像形成の際の転写工程や定着工程における弊害を防止しつつ、隠蔽性を十分に確保して裏写りを防止することができる。
【０１５２】
なお、上述の画像形成装置３００において、画像形成ユニット１２の装着位置を変更して用いることにより、図１６（Ａ）、図１６（Ｂ）又は図１８に示したような順番で各色トナーの画像を形成することができ、この場合でも本発明を適用することができる。
【０１５３】
[変形例]
上記実施形態では、下地画像として白色トナーとシルバートナーを用いて印刷を行う画像形成装置に対して適用した場合を用いて説明したが、本発明はこれに限定されるものではなく、白色トナーとゴールドトナー等の白色トナーと金属光沢色であるメタリックトナーを用いて印刷を行う場合でも同様に本発明を適用することができるものである。
【０１５４】
また、上記実施形態では、下地画像としてシルバートナー等のメタリックトナーを用いて印刷を行う画像形成装置に対して適用した場合を用いて説明したが、本発明はこれに限定されるものではなく、トナー以外の色材であってもパール色材やマイカ色材等の光輝性色材を用いて印刷を行う場合であれば同様に本発明を適用することができるものである。
【０１５５】
また、上記実施形態では、下地画像として白色トナーとシルバートナーを用いて印刷を行う画像形成装置に対して適用した場合を用いて説明したが、本発明はこれに限定されるものではなく、基本色トナー等の画像の下地になるような例えば水色、ピンク色等の淡色等の下地色トナーとシルバートナー等のメタリックトナーを用いて印刷を行う場合でも同様に本発明を適用することができるものである。
【０１５６】
さらに、上記実施形態では、記録媒体として透明フィルムに対して印刷を行った場合を用いて説明したが、本発明はこれに限定されるものではなく、裏写りしやすい薄紙等に対して印刷を行う場合であれば同様に本発明を適用することができるものである。
【符号の説明】
【０１５７】
１０，１００，２００，３００    画像形成装置
１２    画像形成ユニット
１４    中間転写ベルト
２６    一次転写ロール
３４    二次転写装置
３６    定着装置
４１    ＣＰＵ
４２    メモリ
４３    記憶装置
４４    通信インタフェース（ＩＦ）
４５    ユーザインタフェース（ＵＩ）装置
４６    プリントエンジン
４８    制御バス
５０    制御部
５１    印刷ジョブ受信部
５２    出力部
５３    画像濃度検出部
５４    記憶部
【図１】
2019074620.tif 000003
【図２】
2019074620.tif 000004
【図３】
2019074620.tif 000005
【図４】
2019074620.tif 000006
【図５】
2019074620.tif 000007
【図６】
2019074620.tif 000008
【図７】
2019074620.tif 000009
【図８】
2019074620.tif 000010
【図９】
2019074620.tif 000011
【図１０】
2019074620.tif 000012
【図１１】
2019074620.tif 000013
【図１２】
2019074620.tif 000014
【図１３】
2019074620.tif 000015
【図１４】
2019074620.tif 000016
【図１５】
2019074620.tif 000017
【図１６】
2019074620.tif 000018
【図１７】
2019074620.tif 000019
【図１８】
2019074620.tif 000020
【図１９】
2019074620.tif 000021